(57)【要約】【課題】システムを構成する機器およびその機器の運転パターンを容易に選択することができ，設備変更に対しても容易に対応することができるコジェネレーションシステムの最適化方法および設備提案システムを提供すること。【解決手段】まず，運転パターンをパターンａに固定し，機器構成のみについて遺伝的アルゴリズムを適用して最適化する。その後，機器構成を最適化された構成Ａに固定し，その機器構成での運転パターンについて遺伝的アルゴリズムを適用して最適化する。そして，最適化された構成Ａおよびパターンｂでの評価値を判定する。判定条件を満たしていない場合には，運転パターンをパターンｂに固定し，機器構成のみについて遺伝的アルゴリズムを適用して最適化する。以後，判定条件を満たすまで繰り返す。【選択図】            図６
2006072796.tif 000002
【特許請求の範囲】
【請求項１】
遺伝的アルゴリズムを適用してコジェネレーションシステムの最適なシステム構成を選択するコジェネレーションシステムの最適化方法において，
電力および熱の時間帯ごとの需要量を取得する需要量取得ステップと，
コジェネレーションシステムを構成する機器の機器情報を含む遺伝子と，時間帯ごとの機器の運転パターン情報を含む遺伝子とを生成する遺伝子生成ステップと，
運転パターンデータを固定して遺伝子操作を繰り返し，前記需要量取得ステップにて取得したエネルギー需要量に適合するとともに，所定の条件を満たす機器構成を選択する機器構成選択ステップと，
機器構成データを固定して遺伝子操作を繰り返し，前記需要量取得ステップにて取得したエネルギー需要量に適合するとともに，所定の条件を満たす運転パターンを選択する運転パターン選択ステップとを含み，
前記機器構成選択パターンと前記運転パターン選択ステップとを交互に繰り返し，所定の条件を満たすシステム構成を選択することを特徴とするコジェネレーションシステムの最適化方法。
【請求項２】
請求項１に記載するコジェネレーションシステムの最適化方法において，
前記機器構成選択ステップでの遺伝子操作では，機器に対応するコードごとに交叉あるいは突然変異を発生させることを特徴とするコジェネレーションシステムの最適化方法。
【請求項３】
請求項１または請求項２に記載するコジェネレーションシステムの最適化方法において，
前記機器構成選択ステップと前記運転パターン選択ステップとの少なくとも一方では，コジェネレーションシステムを構成する機器が無しとなる遺伝子を得た場合には，その遺伝子の評価値に所定のペナルティ値を付加することを特徴とするコジェネレーションシステムの最適化方法。
【請求項４】
遺伝的アルゴリズムを適用してコジェネレーションシステムの最適なシステム構成を選択するコジェネレーションシステムの最適化方法において，
電力および熱の時間帯ごとの需要量を取得する需要量取得ステップと，
コジェネレーションシステムを構成する機器の機器情報を含む遺伝子と，時間帯ごとの機器の運転パターン情報を含む遺伝子とを生成する遺伝子生成ステップと，
遺伝子操作を繰り返し，前記需要量取得ステップにて取得したエネルギー需要量に適合するとともに，所定の条件を満たすシステム構成を選択するシステム構成選択ステップとを含み，
前記システム構成選択ステップでの遺伝子操作では，機器に対応するコードごとに交叉あるいは突然変異を発生させることを特徴とするコジェネレーションシステムの最適化方法。
【請求項５】
遺伝的アルゴリズムを適用してコジェネレーションシステムの最適なシステム構成を選択するコジェネレーションシステムの最適化方法において，
電力および熱の時間帯ごとの需要量を取得する需要量取得ステップと，
コジェネレーションシステムを構成する機器の機器情報を含む遺伝子と，時間帯ごとの機器の運転パターン情報を含む遺伝子とを生成する遺伝子生成ステップと，
遺伝子操作を繰り返し，前記需要量取得ステップにて取得したエネルギー需要量に適合するとともに，所定の条件を満たすシステム構成を選択するシステム構成選択ステップとを含み，
前記システム構成選択ステップでは，コジェネレーションシステムを構成する機器が無しとなる遺伝子を得た場合には，その遺伝子の評価値に所定のペナルティ値を付加することを特徴とするコジェネレーションシステムの最適化方法。
【請求項６】
請求項１から請求項５のいずれか１つに記載するコジェネレーションシステムの最適化方法において，
パラメータとしてエネルギーの消費量，運用コスト，特定の物質の排出量のうち少なくとも１つを取得するパラメータ取得ステップと，
前記パラメータ取得ステップにて取得されたパラメータに対応する評価値を算出する評価値算出ステップとを含むことを特徴とするコジェネレーションシステムの最適化方法。
【請求項７】
遺伝的アルゴリズムを適用してコジェネレーションシステムの最適なシステム構成を選択することが可能なコジェネレーションシステムの設備提案システムにおいて，
電力および熱の時間帯ごとの需要量を取得する需要量取得手段と，
コジェネレーションシステムを構成する機器の機器情報を含む遺伝子と，時間帯ごとの機器の運転パターン情報を含む遺伝子とを生成する遺伝子生成手段と，
運転パターンデータを固定して遺伝子操作を繰り返し，前記需要量取得手段にて取得されたエネルギー需要量に適合するとともに，所定の条件を満たす機器構成を選択する機器構成選択手段と，
機器構成データを固定して遺伝子操作を繰り返し，前記需要量取得手段にて取得されたエネルギー需要量に適合するとともに，所定の条件を満たす運転パターンを選択する運転パターン選択手段と，
前記機器構成選択手段による機器構成の選択と，前記運転パターン選択手段による運転パターンの選択とを交互に繰り返し，所定の条件を満たすシステム構成を選択するシステム構成選択手段と，
前記システム構成選択手段にて選択されたシステム構成の，機器情報およびその機器の運転パターンを出力する最適結果出力手段とを備えることを特徴とするコジェネレーションシステムの設備提案システム。
【請求項８】
請求項７に記載するコジェネレーションシステムの設備提案システムにおいて，
前記機器構成選択手段での遺伝子操作は，機器に対応するコードごとに交叉あるいは突然変異を発生させることを特徴とするコジェネレーションシステムの設備提案システム。
【請求項９】
請求項７または請求項８に記載するコジェネレーションシステムの設備提案システムにおいて，
前記機器構成選択手段と前記運転パターン選択手段との少なくとも一方では，コジェネレーションシステムを構成する機器が無しとなる遺伝子が生成された場合には，その遺伝子の評価値に所定のペナルティ値を付加することを特徴とするコジェネレーションシステムの設備提案システム。
【請求項１０】
遺伝的アルゴリズムを適用してコジェネレーションシステムの最適なシステム構成を選択することが可能なコジェネレーションシステムの設備提案システムにおいて，
電力および熱の時間帯ごとの需要量を取得する需要量取得手段と，
コジェネレーションシステムを構成する機器の機器情報を含む遺伝子と，時間帯ごとの機器の運転パターン情報を含む遺伝子とを生成する遺伝子生成手段と，
遺伝子操作を繰り返し，前記需要量取得手段にて取得されたエネルギー需要量に適合するとともに，所定の条件を満たすシステム構成を選択するシステム構成選択手段と，
前記システム構成選択手段にて選択されたシステム構成の，機器情報およびその機器の運転パターンを出力する最適結果出力手段とを備え，
前記システム構成選択手段の遺伝子操作では，機器に対応するコードごとに交叉あるいは突然変異を発生させることを特徴とするコジェネレーションシステムの設備提案システム。
【請求項１１】
遺伝的アルゴリズムを適用してコジェネレーションシステムの最適なシステム構成を選択することが可能なコジェネレーションシステムの設備提案システムにおいて，
電力および熱の時間帯ごとの需要量を取得する需要量取得手段と，
コジェネレーションシステムを構成する機器の機器情報を含む遺伝子と，時間帯ごとの機器の運転パターン情報を含む遺伝子とを生成する遺伝子生成手段と，
遺伝子操作を繰り返し，前記需要量取得手段にて取得されたエネルギー需要量に適合するとともに，所定の条件を満たすシステム構成を選択するシステム構成選択手段と，
前記システム構成選択手段にて選択されたシステム構成の，機器情報およびその機器の運転パターンを出力する最適結果出力手段とを備え，
前記システム構成選択手段では，コジェネレーションシステムを構成する機器が無しとなる遺伝子が生成された場合には，その遺伝子の評価値に所定のペナルティ値を付加することを特徴とするコジェネレーションシステムの設備提案システム。
【請求項１２】
請求項７から請求項１１のいずれか１つに記載するコジェネレーションシステムの設備提案システムにおいて，
パラメータとしてエネルギーの消費量，運用コスト，特定の物質の排出量のうち少なくとも１つを取得するパラメータ取得手段と，
前記パラメータ取得手段にて取得されたパラメータに対応する評価値を算出する評価値算出手段を有することを特徴とするコジェネレーションシステムの設備提案システム。
【発明の詳細な説明】
【技術分野】
【０００１】
本発明は，発電による電力とその排熱と利用するコジェネレーションシステムの最適化方法および設備提案システムに関する。さらに詳細には，コジェネレーションシステムの最適な機器構成と，その機器の最適な運転パターンを容易に選択することが可能なコジェネレーションシステムの最適化方法および設備提案システムに関するものである。
【背景技術】
【０００２】
近年，コジェネレーションシステムは，病院やホテル等の大規模施設のみならず，一般的な家庭にも普及が図られている。このコジェネレーションシステムの設計は，主として，機器の構成に関する設計と，その機器の運転パターンに関する設計とに大別される。「運転パターン」とは，対象とする機器の出力値やその出力値を定格出力値で割った負荷率を時間帯ごとに定めたものである。この運転パターンの良否によって，エネルギーの利用効率や運用コスト等が大きく異なる。すなわち，コジェネレーションシステムを導入する際には，機器構成とともに運転パターンを考慮した設計を行う必要がある。
【０００３】
しかしながら，機器構成と運転パターンとの組み合わせは，システムが複雑になればなるほど膨大なものとなる。そのため，試行錯誤による検討では適正な組み合わせを早期に抽出することができない。そこで，例えば特許文献１に，コジェネレーションシステムの最適化アルゴリズムが提案されている。この最適化アルゴリズムでは，遺伝的アルゴリズムを利用して機器構成を選択し，選択された機器構成における各機器の運転パターンをさらに別のアルゴリズム（線形計画法等）で求めている。そして，選択された機器構成ごとにトータルコスト（機器コスト＋運用コスト）を算出し，コストが最も低い機器構成および運転パターンを選択している。
【０００４】
具体的に，発電機（電力源），ボイラ（温熱源），および吸収冷凍機（冷熱源）を備えたコジェネレーションシステムでは，機器構成および運転パターンが次のように選択される。まず，発電機，ボイラおよび吸収冷凍機の各機器構成がランダムに選択された遺伝子が作成される。すなわち，遺伝子には，図１６に示すように各機器の情報がそれぞれ格納される。次に，その機器構成での最適な運転パターンが，予め設定されたルールに従って選択される。例えば，「発電機は電力需要と等しくなるように発電を行う。その際の排熱をボイラで優先的に使用し，使い切れない熱を吸収冷凍機で使う。」といったルールに従う。これにより，選択された機器構成での運転パターンが求められる。そして，運転パターンが求められることで，イニシャルコストに加えてランニングコストが求められる。すなわち，トータルコストが求められる。そして，このトータルコストを最小化するように遺伝子を更新する。これにより，トータルコストが最も低い機器構成が選択されるのである。
【特許文献１】特開平１１−３９００４号公報
【発明の開示】
【発明が解決しようとする課題】
【０００５】
しかしながら，前記した従来の技術には以下のような問題があった。すなわち，特許文献１に記載されたコジェネレーションシステムの最適化アルゴリズムでは，運転パターンを決めるルールをあらかじめ設定しておく必要がある。しかし，このようなルールは各機器の機種によって最適なルールが異なる。また，機器の組み合わせによっても異なることがある。そのため，想定しているコジェネレーションシステムが複雑になればなるほど，そのルールも複雑になってしまう。従って，必ずしも最適な運転パターンに適用するルールが設定されるとは限らない。また，新たな機種が市場に登場した場合に，これまでのルールを再検討する必要がある。その際，ルールの再検討には多大な時間を要する。さらには，コジェネレーションシステムが複雑になればなるほどその検討に多くの時間を費やしてしまう。
【０００６】
また，近年のコジェネレーションシステムの設計においては，低コスト化，省エネルギー化の他，環境負荷の低減の観点からＮＯX ，ＳＯX 等の環境負荷物質の排出量を適正にしなければならない。そのため，すべての要求を満たすためにはより複雑なルールが必要となる。しかしながら，すべてのルールをあらかじめ設定しておくことは極めて困難である。
【０００７】
また，コジェネレーションシステムの設計において，機器構成だけではなく，運転パターンも含めて遺伝的アルゴリズムで最適化することも考えられる。しかしながら，遺伝的アルゴリズムだけで機器構成と運転パターンとを同時に最適化することは困難であった。すなわち，運転パターンは機器構成によってその内容が大きく異なるデータである。例えば，最大出力が５０ｋＷのガスエンジンＡの最適な運転パターンと，最大出力が１００ｋＷのガスエンジンＢの最適な運転パターンとは全く異なっている。つまり，単純に優良な遺伝子（個体）同士を交叉させたとしても，殆どの場合に解が改悪されてしまう。従って，図１７に示すような単純なエネルギー需要データを入力したとしても，いつまでたっても解が得られず，図１８に示すように「コジェネレーションシステム無し」（図１８中の“Without CGS”）が出力されてしまう。この「コジェネレーションシステム無し」とは，すなわち負荷率が常に０となる，あるいはシステムを構成する機器が無しとなる解のことである。しかしながら，実際はコジェネレーションシステムを導入する方がエネルギー消費量は低く抑えられる。そのため，コジェネレーションシステムを適用する解が得られるアルゴリズムが必要となる。
【０００８】
本発明は，前記した従来の技術が有する問題点を解決するためになされたものである。すなわちその課題とするところは，システムを構成する機器およびその機器の運転パターンを容易に選択することができ，設備変更に対しても容易に対応することができるコジェネレーションシステムの最適化方法および設備提案システムを提供することにある。
【課題を解決するための手段】
【０００９】
この課題の解決を目的としてなされたコジェネレーションシステムの最適化方法は，遺伝的アルゴリズムを適用してコジェネレーションシステムの最適なシステム構成を選択するコジェネレーションシステムの最適化方法であって，コンピュータが，電力および熱の時間帯ごとの需要量を取得する需要量取得ステップと，コジェネレーションシステムを構成する機器の機器情報を含む遺伝子と，時間帯ごとの機器の運転パターン情報を含む遺伝子とをコンピュータが生成する遺伝子生成ステップと，コンピュータが，運転パターンデータを固定して遺伝子操作を繰り返し，需要量取得ステップにて取得したエネルギー需要量に適合するとともに，所定の条件を満たす機器構成を選択する機器構成選択ステップと，コンピュータが，機器構成データを固定して遺伝子操作を繰り返し，需要量取得ステップにて取得したエネルギー需要量に適合するとともに，所定の条件を満たす運転パターンを選択する運転パターン選択ステップとを含み，機器構成選択パターンと運転パターン選択ステップとを交互に繰り返し，所定の条件を満たすシステム構成を選択することを特徴としている。
【００１０】
本発明では，需要量取得ステップとして，コンピュータ等の情報処理手段（需要量取得手段）によって，コジェネレーションシステムが設置される施設における電力および熱のそれぞれのエネルギー需要量が取得される。そして，遺伝子生成ステップとして，同じくコンピュータ等の情報処理手段（遺伝子生成手段）によって，コジェネレーションシステムを構成する機器の機器情報を含む遺伝子と，その機器の運転パターンを含む遺伝子とが生成される。ここでいう「機器情報」とは，各機器の機種や仕様等のことである。また，「運転パターン」とは，その機器の時間帯ごとの負荷情報の集まりであり，例えばその機器の出力値やその出力値を定格出力値で割った負荷率が該当する。なお，遺伝子生成ステップにて生成される遺伝子は，機器情報を含む遺伝子と運転パターン情報を含む遺伝子とが別体であるものの他，両情報を含む１つの遺伝子として生成されるものも含む。
【００１１】
なお，需要量取得ステップおよび遺伝子作成ステップは，同一の情報処理手段で行ってもよいし，別々の情報処理手段にて行ってもよい。この他のステップについても同様である。
【００１２】
次に，機器構成選択ステップとして，運転パターン情報を固定し，その運転パターンを基に遺伝的アルゴリズムを適用して遺伝子操作を繰り返し，その運転パターンおよび取得されたエネルギー需要量に最適な機器構成を選択する。具体的には，まず，生成した遺伝子のうち，取得した需要量に適した遺伝子のみを抽出する。そして，遺伝子に格納された情報を基に，遺伝子ごとに所定のパラメータに対応する評価値を算出する。例えば，パラメータの内容がエネルギー需要量であれば，遺伝子ごとにエネルギーの消費量を算出する。すなわち，その運転パターン（固定）に従って選択された機器を稼動させたときのコジェネレーションシステム全体のエネルギー消費量を算出する。そして，機器構成について遺伝子操作を繰り返し，所定の条件を満たしているか否かを判断する。例えば，評価値が収束しているか否かを判断する。また，遺伝子操作を所定回数繰り返したか否かを判断条件としてもよい。そして，所定の条件を満たしている場合には，その世代の遺伝子を最適解とする。つまり，コンピュータ等の情報処理手段（機器構成選択手段）によって，機器構成の組合せを無作為に変化させ，良好な機器構成の組合せを抽出する。
【００１３】
また，運転パターン選択ステップとして，機器情報を固定し，その機器構成を基に遺伝子操作を繰り返し，その運転機器および取得されたエネルギー需要量に最適な機器構成を選択する。つまり，コンピュータ等の情報処理手段（運転パターン選択手段）によって，運転パターン構成の組合せを無作為に変化させ，良好な運転パターンを抽出する。最適解を求めるアルゴリズムは，機器構成選択ステップと同様である。
【００１４】
そして，この機器構成選択ステップと運転パターン選択ステップとを所定の条件を満たすまで交互に繰り返す。すなわち，コンピュータ等の情報処理手段（システム構成選択手段）によって，運転パターン選択ステップでは，機器構成を機器構成選択ステップにて選択された機器構成に固定して運転パターンを選択する。一方，機器構成選択ステップでは，運転パターンを運転パターン選択ステップにて選択された運転パターンに固定して機器構成を選択する。これを交互に繰り返すことにより，解をより最適なシステム構成に近づけていくのである。
【００１５】
すなわち本発明では，機器構成の最適化と運転パターンの最適化とを別々のステップで行う。そして，一方の最適化を行う際には，他方の情報を固定する。すなわち，機器構成の最適化と運転パターンの最適化とを併せて行うのではなく，最適化を機器構成と運転パターンとのいずれか一方に集中させ，これを交互に繰り返す。これにより，改悪となる遺伝子操作を極力回避し，より良い個体が生成される確率を高めることができる。よって，良好な個体を早期に抽出することができるようになる。従って，遺伝的アルゴリズムのみによって，機器構成と運転パターンとをともに最適化することが可能となる。
【００１６】
また，本発明では，機器情報の他，運転パターンの遺伝子も生成している。そのため，機器情報とともに運転パターンも求められる。従って，従来の技術（特許文献１）で必要とされたルールを設定する必要はない。そのため，ルールに関する問題は発生しない。また，ルールによって選択される運転パターンよりも複雑な運転パターンを選択することができる。そのため，従来の技術と比較して，より最適な運転パターンを選択できる。さらに，新たな機種が市場に登場した場合であっても，ルールの再検討等の作業は発生しない。従って，設備変更に対しても容易に対応することができる。なお，実際に最適な運転パターンとなるルールをあらかじめ設定しておくことはほとんど不可能であるため，本発明を利用することによる効果は大きい。
【００１７】
また，本発明のコジェネレーションシステムの最適化方法の，機器構成選択ステップでの遺伝子操作では，機器に対応するコードごとに交叉あるいは突然変異を発生させることとするとよりよい。
【００１８】
すなわち，設置可能な機器の情報は，通常，４ないし８ビットの機器コードに対応させて管理されている。この機器コードは，すべての番号について意味のあるデータに対応しているわけではなく，空き番号，すなわち設計値として意味をなさない番号も存在する。そのため，機器コード内で交叉や突然変異が生じると，良好な個体が意味をなさない個体に改悪されてしまうおそれがある。そこで，遺伝子中の機器コードが格納されている領域については，機器コード単位で遺伝子操作を行う。具体的には，機器コードごとに交叉あるは突然変異を発生させる。これにより，設計値として意味をなさない機器コードの生成を抑制し，親となる個体の性質を子となる個体に確実に引き継ぐことが可能になる。そのため，良好な個体を早期に抽出することができるようになる。
【００１９】
また，本発明のコジェネレーションシステムの最適化方法の機器構成選択ステップと運転パターン選択ステップとの少なくとも一方では，コジェネレーションシステムを構成する機器が無しとなる遺伝子を得た場合には，その遺伝子の評価値に所定のペナルティ値を付加することとするとよりよい。
【００２０】
すなわち，「コジェネレーションシステム無し」となる遺伝子を得た場合には，その遺伝子の評価値に対して所定のペナルティ値を付加することによってその遺伝子の適合度を低下させる。これにより，最適解として「コジェネレーションシステム無し」が選択されることを回避する。そして，「コジェネレーションシステム無し」が選択されやすい起伏が大きいエネルギー需要に対しても，コジェネレーションシステムを選択することが可能となる。なお，評価値はユーザが重視するパラメータによって異なり，そのパラメータによってペナルティ値も異なる。
【００２１】
また，本発明のコジェネレーションシステムの最適化方法では，パラメータとしてエネルギーの消費量，運用コスト，特定の物質の排出量のうち少なくとも１つを取得するパラメータ取得ステップと，パラメータ取得ステップにて取得されたパラメータに対応する評価値を算出する評価値算出ステップとを含むこととするとよりよい。これにより，パラメータの内容ごとに最適解を求めることができる。また，パラメータとして複数の項目を指定してもよい。例えば，「窒素酸化物の排出量が所定値以下で，かつ運用コストが最小」といったパラメータを指定してもよい。よって，より多くのパターンを提案することができ，ユーザの要求に柔軟に対応することができる。
【００２２】
また，本発明のコジェネレーションシステムの設備提案システムは，遺伝的アルゴリズムを適用してコジェネレーションシステムの最適なシステム構成を選択することが可能なコジェネレーションシステムの設備提案システムであって，電力および熱の時間帯ごとの需要量を取得する需要量取得手段と，コジェネレーションシステムを構成する機器の機器情報を含む遺伝子と，時間帯ごとの機器の運転パターン情報を含む遺伝子とを無作為に生成する遺伝子生成手段と，運転パターンデータを固定して遺伝子操作を繰り返し，需要量取得手段にて取得されたエネルギー需要量に適合するとともに，所定の条件を満たす機器構成を選択する機器構成選択手段と，機器構成データを固定して遺伝子操作を繰り返し，需要量取得手段にて取得されたエネルギー需要量に適合するとともに，所定の条件を満たす運転パターンを選択する運転パターン選択手段と，機器構成選択手段による機器構成の選択と，運転パターン選択手段による運転パターンの選択とを交互に繰り返し，所定の条件を満たすシステム構成を選択するシステム構成選択手段と，システム構成選択手段にて選択されたシステム構成の，機器情報およびその機器の運転パターンを出力する最適結果出力手段とを備えるものである。
【００２３】
また，本発明の設備提案システムの，機器構成選択手段での遺伝子操作では，機器に対応するコードごとに交叉あるいは突然変異を発生させることとするとよりよい。
【００２４】
また，本発明の設備提案システムの機器構成選択手段と運転パターン選択手段との少なくとも一方では，コジェネレーションシステムを構成する機器が無しとなる遺伝子が生成された場合には，その遺伝子の評価値に所定のペナルティ値を付加することとするとよりよい。
【発明の効果】
【００２５】
本発明によれば，機器構成および運転パターンをともに遺伝的アルゴリズムによって最適化することができる。そのため，別のアルゴリズムを別途適用する必要ななく，遺伝的アルゴリズムのみによって最適なシステムの選択を図ることができる。よって，システムを構成する機器およびその機器の運転パターンを容易に選択することができ，設備変更に対しても容易に対応することができるコジェネレーションシステムの最適化方法および設備提案システムが提供されている。
【発明を実施するための最良の形態】
【００２６】
以下，本発明に係るコジェネレーションシステムの最適化方法を具体化した実施の形態について図面を基に説明する。本実施の形態は，設備設計支援システムに本発明のコジェネレーションシステムの最適化方法を適用したものである。
【００２７】
本形態の設備設計支援システムは，コジェネレーションシステムが導入される設備のエネルギー需要データ（入力データ）を基に，そのエネルギー需要量に最適な機器構成および運転パターン（出力データ）を抽出するものである。
【００２８】
始めに，本形態の設備設計システムのシステム構成について説明する。設備設計支援システムには，図１に示すようにネットワーク１に接続可能な端末計算機２と，ネットワーク１に接続されるサーバ計算機３とが備えられている。ネットワーク１には，ＬＡＮ，ＷＡＮあるいはインターネット等が該当する。各端末計算機２には，パソコン，ＰＤＡ等が該当する。また，各端末計算機２では，コジェネレーションシステムの設置が検討されている施設のエネルギー需要データ（電力，温熱，冷熱等）を入力することができる。さらに，選択された機器構成および運転パターンを画面に出力することができる。一方，サーバ計算機３には，ワークステーション，パソコン等が該当する。サーバ計算機３では，コジェネレーションシステムの最適な機器構成および運転パターンを選択する。
【００２９】
具体的に，端末計算機２には，例えば図２に示すようなエネルギー需要データが入力される。すなわち，電力，温熱，冷熱の時間帯ごとの予測需要量が入力される。なお，入力される需要データは１時間ごとの需要量に限るものではない。例えば，１分ごとであっても２時間ごとであってもよい。また，エネルギー需要量は，季節によって異なることが予想される。そのため，例えば１ヶ月分の需要量や１年分の需要量を入力してもよい。
【００３０】
また，必要に応じて，ユーザが重要視するパラメータが入力される。入力されるパラメータとしては，例えば，エネルギーの消費効率，コスト，環境がある。コストが選択された場合には，イニシャルコスト，ランニングコストおよびトータルコストのいずれか１つを選択することができるようにしてもよい。また，環境が選択された場合には，二酸化炭素，窒素酸化物，硫黄酸化物のいずれか１つを選択することができるようにしてもよい。
【００３１】
次に，サーバ計算機３について，図３の概略構成図を基に詳説する。サーバ計算機３は，遺伝子生成部３１と，エネルギー使用量算出部３２と，効率算出部３３と，データベース３４と，収束判定部３５とを有している。データベース３４には，コジェネレーションシステムの構成要素となる機器の情報，電気やガスの料金テーブル，燃料ごとの二酸化炭素の排出量等が記録されている。
【００３２】
遺伝子生成部３１は，遺伝子を作成する機能を備えている。遺伝子生成部３１にて作成された遺伝子には，コジェネレーションシステムを構成する機器の機器情報と，その機器の時間帯ごとの出力値が格納される。すなわち，遺伝子には，コジェネレーションシステムの機器構成と各機器の運転パターンとが格納される。なお，最初の世代の遺伝子は，無作為に作成される。そして，次世代の遺伝子は，前世代の遺伝子を基に，交叉や突然変異等の遺伝子操作によって作成される。
【００３３】
具体的に，遺伝子生成部３１にて作成される遺伝子の構成を説明する。遺伝子には，電力源に関する情報と熱源に関する情報とが格納される。例えば，図４に示すように発電機（電力源）１０１と，ボイラ（温熱源）１０２と，吸収冷凍機（冷熱源）１０３とによって構成されるコジェネレーションシステムを対象とする。この場合，図５に示すように遺伝子Ａには発電機１０１のデータと，ボイラ１０２のデータと，吸収冷凍機１０３のデータとが格納される。なお，各機器は必ずしも１台ずつとは限らない。例えば，発電機１０１が２台，ボイラ１０２が３台，吸収冷凍機１０４が４台といったようにエネルギー需要に応じて複数台の機器にて構成されることもある。そのため，遺伝子Ａは，発電機，ボイラ，吸収冷凍機のそれぞれに複数台分のデータを格納することが可能になっている。各機器の最大設置台数Ｎはコジェネレーションシステムが導入される施設の規模等によって異なる。
【００３４】
さらに詳細には，例えば発電機のデータとして，その発電機の機器情報およびその発電機の運転パターンが格納される。また，ヘッダ部にはその発電機の有効／無効を判断するためのフラグが格納される。すなわち，フラグが有効となっている発電機が設置され，有効となっているフラグ数が発電機の設置台数となる。また，その発電機の運転パターンの情報として，１時間ごとの出力値が格納される。そして，０時台から２３時台までの負荷率の組み合わせが運転パターンとなる。なお，ボイラおよび吸収冷凍機のデータについても同様の構成となっている。
【００３５】
サーバ計算機３（図３参照）の説明に戻り，エネルギー使用量算出部３２は，遺伝子に格納される情報（機器情報および運転パターン）を基に，燃料の使用量を算出する機能を備えている。燃料の使用量は，燃料の種類（ガス，電気等）ごとに算出される。効率算出部３３は，遺伝子に格納される情報と燃料の使用量とを基に，エネルギーの利用効率を算出する機能を備えている。また，遺伝子に格納される情報と燃料の使用量とを基に，運用コストを算出する機能をも備えている。また，遺伝子に格納される情報と燃料の使用量とを基に，特定の物質（二酸化炭素，窒素酸化物等）の排出量を算出する機能をも備えている。
【００３６】
収束判定部３５は，所定のパラメータ（エネルギー消費効率，トータルコスト等）に対応する評価値ついて，その値が収束しているか否かを判定する機能を備えている。また，作成された遺伝子のうち，入力されたエネルギー需要量に適さない遺伝子を除去する機能も備えている。
【００３７】
データベース３４には，主として機器情報，運用コスト情報，燃料情報が記録されている。機器情報としては，構成機器のタイプ，機種等が記録される。構成機器は，「原動機」，「補助熱源機」等に分類される。そして，例えば機器のタイプが「原動機」であれば，エンジン，タービン，燃料電池，風力発電機，ソーラー発電機等に細分類される。また，機器のタイプが「補助熱源機」であれば，ボイラ，ヒートポンプ，吸収式冷温水器，ソーラー温水器等に細分類される。さらに，各機器のパラメータとして，定格出力，機器効率，寸法，二酸化炭素排出量等が記録されている。また，運用コスト情報には，燃料ごとに少なくとも２種類以上の料金テーブルが記録されている。また，燃料情報には，コジェネレーションシステムに適用可能なエネルギーが記憶されている。例えば，都市ガス，電気，重油，灯油，メタノール，ガソリン等が記憶される。なお，新たな機種等が市場に登場した場合には，データベース３４にその情報を追加することで対応することが可能である。
【００３８】
次に，サーバ計算機３における最適なシステムの選択処理について説明する。具体的に本形態では，コジェネレーションシステムの最適設計に有効なコーディング手法として，３パターンの最適化コーディング手法（２段階最適化法，整数値コーディング法，ペナルティ法）を提案する。以下，それぞれのコーディング手法について詳説する。
【００３９】
［２段階最適化法］
２段階最適化法は，機器構成の最適化と運転パターンの最適化とを２段階に分けて別々に行う手法である。例えば図６に示すように，まず，運転パターンをパターンｚに固定し，機器構成のみについて遺伝的アルゴリズムを適用して最適化する。その後，機器構成を最適化された構成Ａに固定し，その機器構成での運転パターンについて遺伝的アルゴリズムを適用して最適化する。そして，最適化された構成Ａおよびパターンａでの評価値を判定する。判定条件を満たしていない場合には，運転パターンをパターンａに固定し，機器構成のみについて遺伝的アルゴリズムを適用して最適化する。以後，判定条件を満たすまで繰り返す。すなわち，機器構成の最適化と運転パターンの最適化とを別々に行うことにより，交叉や突然変異による解の改悪を防ぐのである。
【００４０】
以下，図７のフローチャートを基に２段階最適化法による最適化手順を詳説する。まず，最初の世代（第１世代）の遺伝子の集団を作成する（Ｓ１）。各遺伝子（個体）には，コジェネレーションシステムを構成する機器情報およびその機器の運転パターンが格納される（図５参照）。その際，機器構成は，遺伝子ごとに無作為に選択される。一方，運転パターンは，すべての遺伝子にて負荷率がすべて１００％のパターンが選択される。
【００４１】
次に，運転パターンを固定し，その運転パターンでの最適な機器構成について遺伝的アルゴリズムを適用して抽出する（Ｓ２）。具体的に，最適な機器構成の抽出は，図８に示すフローチャートの手順による。
【００４２】
まず，遺伝子ごとに定格出力や機器効率等の機器情報をデータベース３４から取得する（Ｓ２１）。次に，その機器情報を基に燃料の使用量を算出する（Ｓ２２）。次に，燃料コスト，機器コスト等のコスト情報をデータベース３４から取得する（Ｓ２３）。次に，機器構成および運転パターンに関するデータ，燃料の使用量および燃料コストから，コジェネレーションシステム１００全体でのランニングコストを算出する。さらに，このランニングコストに機器コスト（イニシャルコスト）を加えることによりトータルコストを算出する（Ｓ２４）。
【００４３】
なお，ユーザが重視するパラメータとして「環境」が選択されている際には，燃料ごとの二酸化炭素排出量等の環境情報をデータベース３４から取得する。そして，燃料の使用量および燃料ごとの二酸化炭素排出量から，コジェネレーションシステム１００全体での二酸化炭素排出量を算出する。また，同様にその他の物質（窒素酸化物等）の排出量を算出してもよい。
【００４４】
次に，遺伝子ごとに，選択されたパラメータに対応する評価値を算出する（Ｓ２５）。具体的には，ユーザが重視するパラメータとして「コスト」が選択されている際には，遺伝子ごとにトータルコストを算出する。次に，高コストの遺伝子やエネルギー消費量が大きい個体（遺伝子）を，不良な個体として除去する（Ｓ２６）。すなわち，良好な個体のみが選択され，不良な個体は淘汰される。
【００４５】
次に，抽出された個体の評価値の代表値（平均値，中央値，最大値等）を取得し，その代表値が所定の条件を満たしているか否かを判断する（Ｓ２７）。具体的には，その代表値が前世代の代表値と比較して収束しているか否かを判断する。なお，代表値は，ユーザが入力したパラメータ（エネルギーの消費効率，コスト，環境等）により異なる。また，良好な個体の抽出は評価値の判断処理の前であればよく，例えば遺伝子の作成直後であってもよい。
【００４６】
評価値の条件を満たしていない場合（Ｓ２７：ＮＯ）には，次世代の遺伝子を作成する（Ｓ２８）。このとき，運転パターンが固定された状態のままで，機器構成のみを変化させる。すなわち，遺伝子操作によって機器構成のみを無作為に変化させる。そして，Ｓ２２からＳ２７までの処理を，評価値が条件を満たす（Ｓ２７：ＹＥＳ）まで繰り返す。一方，条件を満たしている場合（Ｓ２７：ＹＥＳ）には，その世代の遺伝子を最適な遺伝子として選択し，機器構成を決定する。
【００４７】
図７のフローチャートの説明に戻り，機器構成をＳ２の処理で最適化された機器構成に固定して，最適な運転パターンについて遺伝的アルゴリズムを適用して抽出する（Ｓ３）。最適な運転パターンの抽出は，図８に示したフローチャートの手順と同様である。なお，運転パターンの最適化（Ｓ３）よりも後に機器構成の最適化（Ｓ２）を行ってもよい。
【００４８】
次に，Ｓ２の処理で最適化された機器構成，およびＳ３の処理で最適化された運転パターンによる評価値を取得し，その評価値が前回の評価値と比較して収束しているか否かを判断する（Ｓ４）。収束していない場合（Ｓ４：ＮＯ）には，運転パターンをＳ３の処理で最適化された運転パターンに固定してＳ２以降の処理を繰り返す。収束している場合（Ｓ４：ＹＥＳ）には，抽出した機器構成および運転パターンを最適なシステム構成と判断し，本処理を終了する。これにより，最適な機器構成および最適な運転パターンが抽出される。
【００４９】
なお，最適解の判定は，評価値が収束しているか否かを判定条件としているが，これに限るものではない。例えば，計算回数が所定の回数（例えば，１．０×１０5 回）となっているか否かを判定条件とし，その設定回数だけ計算した後の評価値を最適解としてもよい。また，評価値が所定の範囲内であるか否かを判定条件としてもよい。
【００５０】
次に，その遺伝子に含まれる情報やこれまで算出された評価値等を端末計算機２に出力する（Ｓ５）。これにより，コジェネレーションシステムが導入される施設の規模およびエネルギー需要量に最適な機器構成および運転パターンが出力される。Ｓ５の処理後，サーバ計算機３の最適システムの選択処理を終了する。
【００５１】
続いて，２段階最適化法にて最適なシステム構成（機器構成および運転パターン）を求めた試験結果について説明する。本試験では，図２に示した比較的単純なエネルギー需要量データを入力し，その結果として得られたシステム構成におけるエネルギー消費量を算出した。そして，同じ入力データによる試験を５０回行った。
【００５２】
図１０に，本形態の設備設計支援システム（２段階最適化法のみ）によって得られたシステム構成におけるエネルギー消費量の出力結果を示す。図１０中，“Without CGS”は，「コジェネレーションシステム無し」を意味している。すなわち，コジェネレーションシステムを導入しない場合のエネルギー消費量を示している。また，“Expert”は，熟練の技術者がコジェネレーションシステムを設計した場合の仮想エネルギー消費量を示している。また，図１０では，出力結果をエネルギー消費量が小さかったものから順に並べている。
【００５３】
通常の遺伝的アルゴリズムを利用した場合，すなわち遺伝的アルゴリズムのみを利用した場合，図１８に示したように「コジェネレーションシステム無し」が必ず選択されてしまう。一方，通常の遺伝的アルゴリズムに加えて，コーディング手段として２段階最適化法を適用した場合，図１０に示すようにコージェネレーションシステムを導入し，「コジェネレーションシステム無し」よりもエネルギー消費量が小さいシステム構成が得られることが確認された。
【００５４】
なお，本試験では，「熟練の技術者」が設計したシステム構成よりも優れたシステム構成が選択されていないが，本形態の設備設計支援システムが熟練の技術者が選択したシステム構成を超えるパターンを選択できないことを意味するものではない。すなわち，「熟練の技術者」が設計したシステム構成よりも優れたシステム構成が選択されることもある。
【００５５】
［整数値コーディング法］
整数値コーディング法は，機器コードを１つのまとまったデータとして扱う手法である。例えば，表１に示す９つの機器を組み合わせることによりコジェネレーションシステムを構成するとする。この場合，機器コードは４ビットのビットデータとして表すことが可能であり，機器を意味するデータとして遺伝子に格納されている。例えば，コード番号１の機器とコード番号１３の機器とが抽出されていると，“０００１１１０１”というビットデータが遺伝子内に格納される。
【表１】
2006072796.tif 000003
【００５６】
ここで，良好な個体として「コード番号１（０００１）の機器とコード番号１３（１１０１）の機器とを組み合わせたシステム」と，「コード番号３（００１１）の機器とコード番号１１（１０１１）の機器とを組み合わせたシステム」との２つが抽出されているとする。
【００５７】
この２つの個体から次世代の個体を作成する場合，通常の遺伝的アルゴリズムを適用すると，次のような問題が生じる。例えば，図９に示すように点線Ｘの位置で交叉が生じると，次世代の個体として，「コード番号１（０００１）の機器とコード番号１５（１１１１）の機器とを組み合わせたシステム」と，「コード番号３（００１１）の機器とコード番号９（１００１）の機器とを組み合わせたシステム」とに変化する。しかしながら，表１に示したようにコード番号９という機器は存在していない。従って，無効な機器コードを含んだ個体が生じることになる。このような個体が生じることは，最適解の抽出の遅延を招く。
【００５８】
一方，整数値コーディング法を適用すると，機器のコードごとにまとまったデータとして取り扱われるため，不適切な位置での交叉や突然変異は生じない。例えば，図１１に示すように機器コード間での交叉しか生じないため，無効な機器コードを含んだ個体は生じない。すなわち，次世代の個体（子孫）は，前世代の個体（親）のコード番号を必ず引き継ぐことになる。
【００５９】
続いて，整数値コーディング法にて最適なシステム構成（機器構成＋運転パターン）を求めた試験結果について説明する。本試験では，２段階最適化法で行った試験と同様に，図２に示した比較的単純なエネルギー需要量データを入力し，その結果として得られたシステム構成におけるエネルギー消費量を算出した。そして，同じ入力データによる試験を５０回行った。
【００６０】
図１２に，本形態の設備設計支援システム（２段階最適化法＋整数値コーディング法）によって得られたシステム構成におけるエネルギー消費量の出力結果を示す。図１２では，出力結果をエネルギー消費量が小さかったものから順に並べている。
【００６１】
２段階最適化法のみを利用した場合，図１０に示したようにコージェネレーションシステムは選択されるが，そのエネルギー消費量は「コージェネレーションシステム無し」と比較して大差がない結果が多い。すなわち，良好なシステム構成が選択される確率が低い（図１０の結果から，５０回の試行のうち少なくとも４０回はエネルギー消費量が７００ｋＷ以上となるシステム構成が選択されている）。一方，２段階最適化法に加えて，整数値コーディング法を適用した場合，図１２に示すように良好なシステム構成が選択される確率が高い（図１２の結果から，５０回の試行のうち少なくとも２０回はエネルギー消費量が７００ｋＷ以下となるシステム構成が選択されている）ことが確認された。
【００６２】
［ペナルティ法］
ペナルティ法は，「コジェネレーションシステム無し」となった場合，次の式（１）のようなペナルティ値を与える。
（新たな評価値）＝（「コジェネレーションシステム無し」となったときの評価値）＋（ペナルティ値）      （１）
すなわち，入力されるエネルギー需要量が複雑であるほど計算回数が多くなり，評価値の収束が困難となる。また，エネルギー需要量の起伏が大きいほど，「コジェネレーションシステム無し」が探索され易い。これは，エネルギー需要量がほぼ一定なら，最適化前の常に一定負荷率の運転パターンにおいても，機器構成を最適化するだけで「コジェネレーションシステム無し」よりエネルギー消費量が小さいシステムが得られるのに対し，エネルギー需要量の起伏が大きいと，運転パターンが最適化されない限り，どのような機器を選んでも「コジェネレーションシステム無し」よりエネルギー消費量が大きくなる可能性が高いためと考えられる。
【００６３】
しかしながら，実際はコジェネレーションシステムを導入する方がエネルギー消費量は低く抑えられる。そこで，「コジェネレーションシステム無し」となった組合せにペナルティ値として一定の値を加算する。これにより，「コジェネレーションシステム無し」が最適解となることを抑制する。
【００６４】
例えば，図１３に示すように，「第１発電機が無し，第２発電機が無し，第３発電機がＧＥ１」という個体と，「第１発電機がＧＥ１，第２発電機がＧＥ２，第３発電機が無し」という個体との２つの個体が抽出されているとする。この２つの個体からは，次世代の個体として発電機が全く無いシステムが発生する可能性がある。このように発電機が全く無い個体に対し，これまで通りの方法で計算した評価値にペナルティ値を加え，その評価を低くする。なお，ペナルティ値としては，評価値が高いほど評価が低くなる場合（例えば，エネルギー消費量の評価）には，正の値を加算する。一方，評価値が低いほど評価が低くなる場合（例えば，コストの評価）には，負の値を加算する。
【００６５】
続いて，ペナルティ法にて最適なシステム構成（機器構成＋運転パターン）を求めた試験結果について説明する。本試験では，図１４に示す比較的複雑なエネルギー需要量データを入力し，その結果として得られたシステム構成におけるエネルギー消費量を算出した。そして，同じ入力データによる試験を５０回行った。
【００６６】
図１５に，本形態の設備設計支援システム（２段階最適化法＋整数値コーディング法＋ペナルティ法）によって得られたシステム構成におけるエネルギー消費量の出力結果を示す。図１５中，“No penalty”は，コーディング手段として，２段階最適化法および整数値コーディング法を適用していることを意味している。すなわち，ペナルティ法を適用していないことを意味している。一方，“penalty”は，２段階最適化法，整数値コーディング法に加え，ペナルティ法を適用していることを意味している。また，図１５では，出力結果をエネルギー消費量が小さかったものから順に並べている。
【００６７】
ペナルティ法を適用しない場合，図１５に示したように複雑なエネルギー需要（図１４）が入力されると「コジェネレーションシステム無し」が選択されてしまう。一方，ペナルティ法を適用した場合，必ずコージェネレーションシステムが選択される。そのため，良好なシステム構成が選択される確率が高い（図１５の結果から，５０回の試行のうち少なくとも４０回はエネルギー消費量が「コジェネレーションシステム無し」よりも小さいシステム構成が選択されている）ことが確認された。
【００６８】
以上詳細に説明したように２段階最適化法によれば，機器構成の最適化と運転パターンの最適化とを別々に行うこととしている。具体的には，一方の最適化を行う際には，他方の値を固定することとし，機器構成の最適化と運転パターンの最適化とを交互に繰り返すこととしている。これにより，機器構成と運転パターンの相関関係の問題が解決され，優良解同士を交叉させた際に，より良い個体が生成される確率が高くなる。そのため，良好な個体を早期に抽出することができるようになる。従って，遺伝的アルゴリズムのみによって，機器構成と運転パターンとをともに最適化することが可能となった。
【００６９】
また，整数値コーディング法によれば，遺伝子中の機器を意味するデータが格納されている領域については，機器コード単位で遺伝子操作を行うこととしている。具体的には，機器コードごとに交叉あるは突然変異を発生させることとしている。これにより，設計値として意味をなさない機器コードの生成を抑制し，親となる個体の性質が子となる個体に確実に引き継がれることになる。そのため，良好な個体を早期に抽出することができるようになる。従って，遺伝的アルゴリズムのみによって，機器構成と運転パターンとをともに最適化することが可能となった。また，２段階最適化法とともに適用することで，良好なシステム構成が選択される確率が２段階最適化法のみの方法と比較して高くなった。
【００７０】
また，ペナルティ法によれば，「コジェネレーションシステム無し」の個体の評価値に対して所定のペナルティ値を付加することとしている。これにより，最適解として「コジェネレーションシステム無し」が選択されることがなくなり，起伏が大きいエネルギー需要に対しても確実にコジェネレーションシステムを選択することが可能となる。そして，２段階最適化法や整数値コーディング法と組み合わせることにより，遺伝的アルゴリズムのみによって，複雑なエネルギー需要であっても，機器構成と運転パターンとをともに最適化することが可能となった。
【００７１】
なお，本実施の形態は単なる例示にすぎず，本発明を何ら限定するものではない。したがって本発明は当然に，その要旨を逸脱しない範囲内で種々の改良，変形が可能である。例えば，本実施の形態では端末計算機２を介して時間帯別のエネルギー需要量を入力しているが，サーバ計算機３に直接入力してもよい。そして，結果をサーバ計算機３に直接出力してもよい。すなわち，サーバ計算機３のみに本発明を適用してもよい。
【００７２】
また，本形態の２段階最適化法では，機器構成と運転パターンとを含む遺伝子を作成し，いずれか一方を固定するとしているが，これに限るものではない。例えば，機器構成と運転パターンとを別々の遺伝子とし，固定された機器構成による最適な運転パターン，あるいは固定された運転パターンによる最適な機器構成が別々の遺伝子によって抽出されるとしてもよい。
【００７３】
また，実施の形態の遺伝子Ａには，補助ボイラやＥＨＰのデータは格納されていないが，これらのデータを格納してもよい。これらのデータを含むことでより適正なコジェネレーションシステムの提案，設計，および運用を図ることができる。
【図面の簡単な説明】
【００７４】
【図１】第１の形態の設備設計支援システムにかかるシステム構成を示す概略構成図である。
【図２】エネルギー需要の一例を示すグラフである。
【図３】サーバ計算機のシステム構成を示す概略構成図である。
【図４】コジェネレーションシステムの一例を示すブロック図である。
【図５】本形態の設備設計支援システムにかかる遺伝子の構成を示す概略図である。
【図６】２段階最適化法による最適化の概念を示す図である。
【図７】２段階最適化法による最適化手順を示すフローチャートである。
【図８】評価値の算出手順を示すフローチャートである。
【図９】通常の遺伝的アルゴリズムにおける交叉の例を示す図である。
【図１０】本形態の設備設計支援システム（２段階最適化法のみ）によって得られたシステム構成におけるエネルギー消費量の出力結果を示すグラフである。
【図１１】整数値コーディング法による交叉の例を示す図である。
【図１２】本形態の設備設計支援システム（２段階最適化法＋整数値コーディング法）によって得られたシステム構成におけるエネルギー消費量の出力結果を示すグラフである。
【図１３】ペナルティ法によってペナルティ対象となる個体の例を示す図である。
【図１４】複雑なエネルギー需要の一例を示すグラフである。
【図１５】本形態の設備設計支援システム（２段階最適化法＋整数値コーディング法＋ペナルティ法）によって得られたシステム構成におけるエネルギー消費量の出力結果を示すグラフである。
【図１６】従来のコジェネレーションシステムの最適化方法に使用される遺伝子の構成を示す概略図である。
【図１７】単純なエネルギー需要の一例を示すグラフである。
【図１８】従来のコジェネレーションシステムの最適化方法における評価結果の例を示す図である。
【符号の説明】
【００７５】
２      端末計算機
３      サーバ計算機
３１    遺伝子生成部
３２    エネルギー使用量算出部
３３    効率算出部
３４    データベース
３５    収束判定部
【図１】
2006072796.tif 000004
【図２】
2006072796.tif 000005
【図３】
2006072796.tif 000006
【図４】
2006072796.tif 000007
【図５】
2006072796.tif 000008
【図６】
2006072796.tif 000009
【図７】
2006072796.tif 000010
【図８】
2006072796.tif 000011
【図９】
2006072796.tif 000012
【図１０】
2006072796.tif 000013
【図１１】
2006072796.tif 000014
【図１２】
2006072796.tif 000015
【図１３】
2006072796.tif 000016
【図１４】
2006072796.tif 000017
【図１５】
2006072796.tif 000018
【図１６】
2006072796.tif 000019
【図１７】
2006072796.tif 000020
【図１８】
2006072796.tif 000021